(57)【要約】      （修正有）【課題】軸方向長さを減少させ、又、制動効果を容易に取り除くことのことができる磁気ブレーキの提供。【解決手段】糸スプール４の端壁４ａに磁気作用を及ぼす複数の永久磁石２７と、磁石２７を支持するとともに、側プレート２の一方と糸スプール４の端壁４ａとの間に配置された磁石サポート２８とを備え、磁石サポート２８は回転軸Ａに直交する第１平面において磁石２７を支持している。回転軸Ａに直交するとともに、第１平面と糸スプール４の端壁４ａとの間に配置される第２平面に遮蔽プレート３２が設けられている。磁石サポート２８と遮蔽プレート３２は回転軸Ａに直交して、互いに対し相対的に、遮蔽プレート３２が磁石２７を異なる程度覆う異なる相対位置へ移動自在とする。【選択図】図１
2005110659.tif 000002
【特許請求の範囲】
【請求項１】
内部に糸スプールが回転軸（Ａ）の周りに回転自在に支持されたフレームと（１）、フレーム上に取り付けられた２つの側プレート（２，３）とを備え、糸スプール（４）が糸スプールに固定して連結されるとともに回転軸に直交して延びる端壁（４ａ）を有する釣り用リールの、糸スプール（４）を制動する誘導型磁気ブレーキにおいて、
糸スプール（４）の端壁（４ａ）に誘導作用を及ぼす複数の永久磁石（２７）と、
磁石（２７）を支持するとともに、前記側プレート（２）の一方と糸スプール（４）の端壁（４ａ）との間に配置された磁石サポート（２８）とを備え、
磁石サポート（２８）は回転軸（Ａ）に直交する第１平面において磁石（２７）を支持し、
回転軸（Ａ）に直交するとともに第１平面と糸スプール（４）の端壁（４ａ）との間に配置された第２平面に遮蔽プレート（３２）が設けられ、
磁石サポート（２８）と遮蔽プレート（３２）は回転軸（Ａ）に直交して、互いに対し相対的に、異なる相対位置へ移動自在であり、異なる相対位置において遮蔽プレート（３２）は磁石（２７）を異なる程度覆うことを特徴とする磁気ブレーキ。
【請求項２】
磁石サポート（２８）と遮蔽プレート（３２）は、遮蔽プレート（３２）が磁石（２７）の真正面に配置されて磁石を完全に遮蔽し、これにより糸スプール（４）の端壁（４ａ）への誘導作用を取り除く第１相対位置と、遮蔽プレート（３２）がわきへ移動させられて磁石を全く覆わない第２相対位置との間を、回転軸（Ａ）に直交して互いに対し相対的に移動自在であることを特徴とする請求項１記載の磁気ブレーキ。
【請求項３】
磁石サポート（２８）と遮蔽プレート（３２）は回転軸（Ａ）の周りを、互いに対し相対的に、異なる相対位置へ回動自在であることを特徴とする請求項１および請求項２のいずれかに記載の磁気ブレーキ。
【請求項４】
磁石の回転軸（Ａ）からの放射方向距離が本質的に同一となるように、磁石サポート（２８）は磁石（２７）を支持していることを特徴とする請求項３記載の磁気ブレーキ。
【請求項５】
前記一方の側プレート（２）上に、側プレート（２）の外側から操作自在であって、回転軸（Ａ）に平行な軸の周りを回動自在な操作手段（２４）が取り付けられ、操作手段（２４）は、磁石サポート（２８）および遮蔽プレート（３２）のどちらか一方に設けられた第２歯状要素に噛み合う第１歯状要素を有し、操作手段（２４）を回動すると、磁石サポート（２８）と遮蔽プレート（３２）との相対的な回転軸（Ａ）周りの回動がもたらされることを特徴とする請求項３および請求項４のいずれかに記載の磁気ブレーキ。
【請求項６】
磁石サポート（２８）は前記一方の側プレート（２）に取り付けられ、遮蔽プレート（３２）は回転軸（Ａ）に直交して移動自在であることを特徴とする請求項１乃至請求項５のいずれかに記載の磁気ブレーキ。
【発明の詳細な説明】
【発明の分野】
【０００１】
本発明は、釣り用リールの糸スプールを制動するための誘導型磁気ブレーキに関する。
【０００２】
この型の磁気ブレーキは、キャスティング中に糸スプールを制動するために用いられる。これにより、糸の巻き込みを必然的に生じさせてもつれを引き起す、糸の繰り出し速度より速い速度における糸スプールの回転を防止する。
【背景技術】
【０００３】
この型の磁気ブレーキは、例えば米国特許Ｎｏ．４，５８０，７４２から公知である。この公知の磁気ブレーキは、糸スプールに誘導作用を及ぼす複数の永久磁石と、磁石を支持する磁石サポートとを備えている。この公知の磁気ブレーキにおいて、ブレーキの糸スプールに対する制動効果は、この種類の磁気ブレーキにおける多くの先行技術と同様に、磁石サポートを糸スプールシャフトの軸方向に移動することにより制御される。この移動は、調整ノブを回転することによりもたらされる。ブレーキの糸スプールに対する制動効果を増大させる場合、磁石サポートは糸スプールに向けて移動させられる。ブレーキの糸スプールに対する制動効果を減少させる場合、磁石サポートは糸スプールから離間するよう移動させられる。磁気ブレーキの糸スプールに対する制動効果について適正な調整範囲を得ようとすると、磁石サポートの移動範囲はかなり大きくなる。その結果、磁石サポートは、釣り用リール内において、少なくとも軸方向に広い配置スペースを必要とする。言い換えると、これは、釣り用リールが大きな寸法となることを必要とする。さらなる欠点は、たとえ磁石サポートが糸スプールから最も離間した位置に移動させられたとしても、磁気ブレーキがいくらかの制動効果を糸スプールに発揮してしまう、すなわち、制動効果が完全に取り除かれ得ないことである。
【発明の概要】
【０００４】
本発明の目的は、ほんの小さなスペースのみを必要とし、これにより、釣り用リールの軸方向長さを減少させることができる磁気ブレーキと、磁気ブレーキの糸スプールに対する制動効果を容易に完全に取り除くことができる磁気ブレーキの構造とを提供することである。
【０００５】
本発明による磁気ブレーキによればこの目的は達成される。本発明による磁気ブレーキは、内部に糸スプールが回転軸の周りに回転自在に支持されたフレームと、フレーム上に取り付けられた２つの側プレートとを備え、糸スプールが糸スプールに固定して連結されるとともに回転軸に直交して延びる端壁を有する釣り用リールの、糸スプールを制動する誘導型磁気ブレーキにおいて、糸スプールの端壁に誘導作用を及ぼす複数の永久磁石と、磁石を支持するとともに、前記側プレートの一方と糸スプールの端壁との間に配置された磁石サポートとを備え、
磁石サポートは回転軸に直交する第１平面において磁石を支持し、
回転軸に直交するとともに、第１平面と糸スプールの端壁との間に配置された第２平面に遮蔽プレートが設けられ、
磁石サポートと遮蔽プレートは回転軸に直交して、互いに対し相対的に、異なる相対位置へ移動自在であり、異なる相対位置において遮蔽プレートは磁石を異なる程度覆うことを特徴とする。
【０００６】
好ましい実施の形態において、磁石サポートと遮蔽プレートは、遮蔽プレートが磁石の真正面に配置されて磁石を完全に遮蔽し、これにより糸スプールの端壁への誘導作用を取り除く第１相対位置と、遮蔽プレートがわきへ移動させられて磁石を全く覆わない第２相対位置との間を、回転軸に直交して互いに対し相対的に移動自在である。
【０００７】
適切には、磁石サポートと遮蔽プレートは回転軸の周りを、互いに対し相対的に、異なる相対位置へ回動自在である。この場合好ましくは、磁石の回転軸からの放射方向距離が本質的に同一となるように、磁石サポートは磁石を支持している。
【０００８】
有利には、前記一方の側プレート上に、側プレートの外側から操作自在であって、回転軸に平行な軸の周りを回動自在な操作手段が取り付けられ、操作手段は、磁石サポートおよび遮蔽プレートのどちらか一方に設けられた第２歯状要素に噛み合う第１歯状要素を有し、操作手段を回動すると、磁石サポートと遮蔽プレートとの相対的な回転軸周りの回動がもたらされる。
【０００９】
好ましくは、磁石サポートは前記一方の側プレートに取り付けられ、遮蔽プレートは回転軸に直交して移動自在である。
【発明を実施するための形態】
【００１０】
本発明は、添付図面を参照し、好ましい実施の形態により以下にさらに詳細に記載される。
【００１１】
図１に示されたマルチプライヤ型釣り用リールは、フレーム１と、２つの側プレート２，３と、フレーム１内に取り付けられ、糸（図示せず）を受けるための糸スプール４と、釣り用リールを釣り竿（図示せず）に取り付けるための台５とを備えている。
【００１２】
右側側プレート３はフレーム１に螺着されている。なお、右側側プレート３について、ここでは詳しく記載しない。左側側プレート２はキャップ状の外側部分２ａと、外側部分２ａが嵌め込まれるキャップ状の内側部分２ｂとからなっている。内側部分２ｂはねじ６（図３）により取付プレート７に取り付けられており、取付プレート７はまた同様にフレーム１に螺着されている。
【００１３】
糸スプールシャフト８は、右側側プレート３に固定されたコップ状のスリーブ９に一端を挿入され、取付プレート７内を延在するコップ状のスリーブ１０に他端を挿入されている。スリーブ１０は、左側に突出して取付プレート７上に配置されるとともに外ねじを設けられたハブ部分７ａの穴１１（図３）内に、回転できないが軸方向に移動することができるように取り付けられ、スリーブ１０の底端部は取付プレートを越えて延在している。圧縮バネ１２がスリーブ内１０であって、その底と糸スプールシャフト８の端部との間に設けられている。
【００１４】
糸スプール４は、２つの転がり軸受け１３，１４を用いてシャフト８上に回転自在に支持されている。転がり軸受け１３，１４は、糸スプール４内の中心貫通開口１５内に、糸スプール４内部において離間して取り付けられている。糸スプール４は糸スプールシャフト８により定められる回転軸Ａの周りを回転自在となっている。摩擦ワッシャー１６が中心開口１５内であって、左側の転がり軸受け１３の軸方向外側に設けられており、摩擦ワッシャー１６は回転できないよう糸スプール４に固定されている。スリーブ１７が転がり軸受け１４の軸方向外側でシャフト８に固定されている。
【００１５】
噛み合い歯を設けられた連結スリーブ１８の形式をとった連結手段が、回転自在かつ軸方向に移動自在にシャフト８上に取り付けられている。連結スリーブ１８はその右側端部において、駆動歯車１９と噛み合っている。駆動歯車１９は、ハンドル（図示せず）によって回転自在な駆動シャフト２０上に、シャフトに対して回転できないように取り付けられている。連結した状態における連結スリーブ１８が図１に示されている。図中において、連結スリーブ１８の左側端部は、先行技術の方法により、回転できないよう糸スプール４に連結された連結リング２１と駆動自在に係合している。キャストされる場合、先行技術の方法により、連結スリーブ１８は操作キー（図示せず）を用いて右側に移動され非係合状態となる。非係合位置において、連結スリーブ１８は連結リング２１に駆動自在に係合させられていない。連結スリーブ１８が非係合状態にある場合、糸スプール４はシャフト８上を自由に回転することができる。ハンドルを回復方向に、すなわち、糸スプール４に固定された糸のうちキャスティング中に繰り出された部分が再びスプール上に巻き取られる方向に回転させ始めた場合、連結スリーブ１８は、糸スプール４を回転させるため、先行技術の方法により自動的に連結状態に戻される。
【００１６】
釣り用リールは、キャスティング中に糸スプール４を制動するための機械式ブレーキを備えている。この機械式ブレーキの糸スプール４に対する制動効果は糸スプール４の回転速度と無関係であり、機械式ブレーキは摩擦ワッシャー１６とコップ状のスリーブ１０とを有している。機械式ブレーキは、内ねじを設けられ取付プレート７のハブ部分７ａに螺着されたコップ状のスリーブ２２の形式をとった調整手段を用いて調整自在である。ゴムのような弾性材量からなるディスク２３がスリーブ２２内に配置されており、スリーブの底部に接している。スリーブ２２は、ディスク２３を介してスリーブ１０を押圧して、スリーブを摩擦ワッシャー１６と摩擦接触させるようになっている。スリーブ１０を摩擦ワッシャー１６に対して押しつけ、これにより、機械式ブレーキの制動効果を糸スプールに作用させる力は、スリーブ２２を回転することにより調整される。スリーブ２２は、調整ノブ２４の形式をとった操作手段を用いて回転させられる。操作手段は左側側プレート２に取り付けられ、回転軸Ａに平行な軸の周りを回動自在である。調整ノブ２４は、スリーブ２２の外側の歯２６と噛み合う外側の第１歯２５を有している。これにより、調整ノブ２４を回動させると、機械式ブレーキの糸スプールに対する制動効果を調整するためにスリーブ２２を回転させることができる。
【００１７】
調整ノブ２４は、図２に示される、機械式ブレーキの糸スプールに対する制動効果が取り除かれる第１位置（最小）と、（図２における）反時計回り方向へ約３２０°だけ第１位置と異なり、機械式ブレーキの糸スプールに対する制動効果が最大となる第２位置（最大）との間を回動自在となっている。
【００１８】
釣り用リールは、またキャスティング中に糸スプール４を制動するための誘導型磁気ブレーキを備えている。糸スプール４は各端部にシャフト８に直交する端壁４ａ，４ｂを有している。本実施例において、糸スプール４はアルミニウムからなる。その糸スプール４に対する制動効果が糸スプール４の回転速度に依存する磁気ブレーキは、糸スプール４の左側端壁４ａに誘導作用を及ぼすための複数の永久磁石を有している。磁石２７は弓形の磁石サポート２８により支持されており、弓形の磁石サポート２８はねじ２９を用いて端壁４ａに近接して取付プレート７に固定されている。本実施例において、磁石サポート２８はプラスチック材料からなり、弓形の凹部を有し、凹部の開口は取付プレート７に面している。磁石２７は平たい円柱状からなり、凹部内に配置されている。その中において、磁石２７は、鉄製の弓形カバープレート３０により、回転軸Ａに対して直交する第１平面において保持されている。磁石２７は円弧に沿って配設され、このため、回転軸Ａからの放射方向距離が同一となるように配置されている。磁気ブレーキは調整手段を有している。調整手段は、取付プレート７に回動自在に取り付けられるとともに糸スプールシャフト８と同軸上に配置されたホイール３１と、ホイールに取り付けられた鉄製の弓形遮蔽プレート３２とからなっている。弓形遮蔽プレート３２は、回転軸Ａに直交するとともに磁石２７と糸スプール４の端壁４ａとの間に配置された第２平面に設けられている。ホイール３１は、その外周の部分に沿って外側の歯３３を有しており、外側歯３３は調整ノブ２４の外側の第２歯３４と噛み合う。磁石サポート２８の弓形凹部、弓形カバープレート３０、弓形遮蔽プレート３２およびホイール３１の歯３３は、約１１０°の範囲に渡っている。
【００１９】
調整ノブ２４を回動させた場合、その第２歯３４は歯３３を介して、磁気ブレーキの糸スプールに対する制動効果を調整するためにホイール３１を回動させる。調整ノブ２４がその第１位置（最小）にある場合、遮蔽プレート３２はホイール３１の回動により、第１位置（図４）にある。その位置において、遮蔽プレート３２は磁石２７の真正面に配置されて磁石を完全に遮蔽し、これにより、糸スプール４の端壁４ａへの誘導作用は取り除かれる。調整ノブ２４が第２位置（最大）へ回動させられた場合、ホイール３１と、これに伴い遮蔽プレート３２とが第２位置（図５）へと回動させられる。その位置おいて、遮蔽プレートはわきへ移動させられて、磁石２７を全く覆わなくなる。
【００２０】
このように、調整ノブ２４が適切な位置へと回動させられることにより、糸スプール４に対する所望の制動効果が調整される。機械式ブレーキは調整ノブ２４の回動位置に依存した力によってスリーブ１０が摩擦ワッシャー１６に向けて押圧されることにより、磁気ブレーキは調整ノブ２４の回動位置に依存した程度だけ遮蔽プレート３２が磁石２７を遮蔽することにより、機械式ブレーキと磁気ブレーキとの両者は意図された制動状態へ設定される。同様に注目すべき点は、調整ノブ２４が第１位置（最小）にある場合、２つのブレーキの糸スプール２４に対する制動効果が完全に取り除かれることである。さらに注目すべき点は、一方向へ調整ノブ２４を回動させると、スリーブ２２とホイール３１とが回動して各ブレーキの糸スプール４に対する制動効果が増大し、また、多方向へ調整ノブ２４を回動させると、スリーブ２２とホイール３１とが回動して各ブレーキの糸スプール４に対する制動効果が減少するように、歯２５，３４を有する調整ノブ２４と、歯２６を有するスリーブ２２と、歯を有するハブ部分７ａと、歯３３を有するホイール３１が配設されていることである。
【図面の簡単な説明】
【００２１】
【図１】本発明による磁気ブレーキを備えられた釣り用リールを示し、磁気ブレーキが第１位置にある、図２の線Ｉ−Ｉに沿った縦断面図。
【図２】図１における矢印ＩＩの方向からの釣り用リールを示す端面図。
【図３】図１に示された釣り用リールのいくつかの構成部品を示す分解図。
【図４】磁気ブレーキが図１による第１位置であり、図３に示された構成部品の組み立てられた状態を図３の矢印ＩＶの方向から示す端面図。
【図５】磁気ブレーキが第２位置にある図４に対応する図。
【図６】釣り用リールの図１における左側の側プレートが取り外され、図４および図５に示された構成部品を反対側から示す斜視図。
【図１】
2005110659.tif 000003
【図２】
2005110659.tif 000004
【図３】
2005110659.tif 000005
【図４】
2005110659.tif 000006
【図５】
2005110659.tif 000007
【図６】
2005110659.tif 000008
【外国語明細書】
2005110659000001.pdf